(57)【特許請求の範囲】
【請求項１】
互いの間に間隔を確保して躯体に支持させた一対の方立の見込み面にそれぞれ支持部材を固定し、
一方、予め開口枠に面材を取り付けて構成したパネルユニットの縦枠において前記方立の支持部材に対向する見込み面に上下方向に沿って収容溝を形成するとともに、前記収容溝の上端開口を覆う部位にストッパ部材を配設し、
前記支持部材に対して前記パネルユニットの収容溝を挿入し、各支持部材において上方に向く端面に前記ストッパ部材を当接させたことを特徴とするカーテンウォール。
【請求項２】
前記パネルユニットの縦枠において前記収容溝よりも屋内側に位置する部位に通気を遮断するシール部材を保持させ、方立よりも屋内側に位置する部位において隣接するパネルユニットのシール部材を互いに圧接させたことをする請求項１に記載のカーテンウォール。
【請求項３】
前記パネルユニットの縦枠において前記収容溝よりも屋内側に位置する部位に通気を遮断するシール部材を保持させるとともに、方立において屋内側に位置する部位に目地部材を配設し、それぞれのシール部材を前記目地部材に圧接させたことをする請求項１に記載のカーテンウォール。
【請求項４】
前記パネルユニットの縦枠において前記収容溝よりも屋内側において方立の見込み面に対向する部位に通気を遮断するシール部材を保持させ、それぞれのシール部材を方立の見込み面に圧接させたことをする請求項１に記載のカーテンウォール。
【請求項５】
請求項１〜請求項４のいずれかひとつに記載のカーテンウォールを備えたことを特徴とする建造物。
【発明の詳細な説明】
【技術分野】
【０００１】
本発明は、カーテンウォール及びこれを使用した建造物に関するもので、より詳細にはパネルユニットを方立に支持させることによって構築されるカーテンウォール及びこれを使用した建造物に関するものである。
【背景技術】
【０００２】
予め開口枠にガラス等の面材を取り付けてパネルユニットを構成し、このパネルユニットを方立の相互間に支持させることによって建造物の外周にカーテンウォールを構築するものが種々提供されている。例えば、特許文献１では、パネルユニットの上横枠及び下横枠をそれぞれブラケットによって方立に固定させることによってカーテンウォールを構築するようにしている。この特許文献１に記載のものでは、下方に配置したパネルユニットの上横枠と上方に配置したパネルユニットの下横枠とを同一のブラケットに固着し、部品点数の削減を図っている。
【先行技術文献】
【特許文献】
【０００３】
【特許文献１】特開２００９−２０３６６２号公報
【発明の概要】
【発明が解決しようとする課題】
【０００４】
ところで、方立とパネルユニットの横枠とを連結するブラケットは、それぞれに対して取付ネジによって取り付けられるものである。従って、上述した特許文献１にあっては、方立、パネルユニット及びブラケットの高さ方向の位置合わせ及び水平方向の位置合わせを正確に行い、多数のネジ孔すべてが合致した状態に配置する必要があるため、位置決め作業に多大な時間を要する。しかも、この位置決め状態を維持したまま多数の取付ネジを構築現場において締結しなければならず、パネルユニットを支持するための支持作業を煩雑化する恐れがある。
【０００５】
本発明は、上記実情に鑑みて、パネルユニットを方立に支持する支持作業を容易化することのできるカーテンウォール及びこれを使用した建造物を提供することを目的とする。
【課題を解決するための手段】
【０００６】
上記目的を達成するため、本発明に係るカーテンウォールは、互いの間に間隔を確保して躯体に支持させた一対の方立の見込み面にそれぞれ支持部材を固定し、一方、予め開口枠に面材を取り付けて構成したパネルユニットの縦枠において前記方立の支持部材に対向する見込み面に上下方向に沿って収容溝を形成するとともに、前記収容溝の上端開口を覆う部位にストッパ部材を配設し、前記支持部材に対して前記パネルユニットの収容溝を挿入し、各支持部材において上方に向く端面に前記ストッパ部材を当接させたことを特徴とする。
【０００７】
この発明によれば、支持部材に対してパネルユニットに形成した収容溝の下端開口を位置合わせし、そのままパネルユニットを下方にスライドさせれば、やがて支持部材において上方に向く端面がストッパ部材に当接し、ストッパ部材及び支持部材を介してパネルユニットを方立に支持させることができる。
【０００８】
また、本発明は、上述したカーテンウォールにおいて、前記パネルユニットの縦枠において前記収容溝よりも屋内側に位置する部位に通気を遮断するシール部材を保持させ、方立よりも屋内側に位置する部位において隣接するパネルユニットのシール部材を互いに圧接させたことを特徴とする。
【０００９】
この発明によれば、互いに圧接するシール部材によって屋内側に外気が進入するのを防止することが可能である。
【００１０】
また、本発明は、上述したカーテンウォールにおいて、前記パネルユニットの縦枠において前記収容溝よりも屋内側に位置する部位に通気を遮断するシール部材を保持させるとともに、方立において屋内側に位置する部位に目地部材を配設し、それぞれのシール部材を前記目地部材に圧接させたことを特徴とする。
【００１１】
この発明によれば、目地部材に圧接するシール部材によって屋内側に外気が進入するのを防止することが可能である。
【００１２】
また、本発明は、上述したカーテンウォールにおいて、前記パネルユニットの縦枠において前記収容溝よりも屋内側において方立の見込み面に対向する部位に通気を遮断するシール部材を保持させ、それぞれのシール部材を方立の見込み面に圧接させたことを特徴とする。
【００１３】
この発明によれば、方立の見込み面に圧接するシール部材よって屋内側に外気が進入するのを防止することが可能である。
【００１４】
また、本発明に係る建造物は、上述したカーテンウォールのいずれかを備えたことを特徴とする。
【００１５】
この発明によれば、パネルユニットに形成した収容溝の下端開口に対して支持部材を位置合わせし、そのままパネルユニットを下方にスライドさせれば、やがて支持部材において上方に向く端面がストッパ部材に当接し、ストッパ部材及び支持部材を介してパネルユニットを方立に支持させることができる。
【発明の効果】
【００１６】
本発明によれば、支持部材に対してパネルユニットに形成した収容溝の下端開口を位置合わせし、そのままパネルユニットを下方にスライドさせれば、やがて支持部材において上方に向く端面がストッパ部材に当接することになり、方立に対するパネルユニットの位置決めに多大な時間を要することなく、ストッパ部材及び支持部材を介してパネルユニットを方立に支持させることが可能となる。
【図面の簡単な説明】
【００１７】
【図１】図１は、本発明の実施の形態１であるカーテンウォールを適用した建造物の要部横断面図である。
【図２】図２は、図１に示した建造物の要部を示す縦断面図である。
【図３】図３は、図１における３−３線断面図である。
【図４】図４は、図１に示した建造物のカーテンウォールに適用する支持部材の要部概念図である。
【図５】図５は、本発明の実施の形態２であるカーテンウォールを適用した建造物の要部横断面図である。
【図６】図６は、本発明の実施の形態３であるカーテンウォールを適用した建造物の要部横断面図である。
【発明を実施するための形態】
【００１８】
以下、添付図面を参照しながら本発明に係るカーテンウォール及びカーテンウォールを使用した建造物の好適な実施の形態について詳細に説明する。
【００１９】
（実施の形態１）
図１〜図３は、本発明の実施の形態１であるカーテンウォールを適用した建造物の要部を示したものである。図２に示すように、ここで例示する建造物は、複数のフロアを有したビルである。各フロアを構成するスラブ（躯体）Ｓには、屋外側に位置する端部の下面にそれぞれファスナーＦが取り付けてあり、上層となるスラブＳのファスナーＦと、下層となるスラブＳのファスナーＦとの間にスチールマリオンと称される鋼製の方立１０が互いに間隔を確保した状態で左右方向に複数支持させてある。個々の方立１０は、それぞれ板厚が一様で上下方向に長尺となる板状を成しており、隣接するものの板面（方立１０の見込み面）１１が互いに対向する姿勢でスラブＳのファスナーＦに固定してある。これらの方立１０は、隣接するものの相互間にそれぞれパネルユニット２０を支持することにより、建造物の外周にカーテンウォールを構築するものである。本実施の形態１では、特に、方立１０において屋内側に位置する端面１２がスラブＳ等の躯体から離隔するとともに、屋外側に位置する端部がパネルユニット２０よりも屋外に露出するように配置されるカーテンウォールについて説明する。
【００２０】
パネルユニット２０は、図には明示していないが、上横枠２１、下横枠２２及び一対の縦枠２３を四周枠組みして成る開口枠にガラス等の面材２４を取り付けて構成したものである。本実施の形態１では、図２に示すように、ワンフロアを構成する上層のスラブＳと下層のスラブＳとの間にそれぞれ上下２枚のパネルユニット２０を配設してカーテンウォールを構築している。パネルユニット２０の左右方向に沿った寸法は、隣接する方立１０において板面１１の相互間距離よりもわずかに短い長さに形成してある。尚、上下２枚のパネルユニット２０は、上方の面材２４が透光性を有し、下方の面材２４が透光性を有しない点で異なるものの、同一形状、同一寸法の開口枠を適用するものであるため、以下においては一方についてのみ説明していく。
【００２１】
図１〜図３に示すように、パネルユニット２０の開口枠を構成する左右の縦枠２３には、それぞれ収容溝２３０が形成してあるとともに、各収容溝２３０の上端となる部位にストッパ部材２５が取り付けてある。
【００２２】
収容溝２３０は、パネルユニット２０の縦枠２３において方立１０に対向する見込み面に形成した凹所であり、パネルユニット２０の上下に開口するように、縦枠２３の延在方向に沿ってその全長に形成してある。本実施の形態１では、図１に示すように、方立１０に対向する内方見込み面２３１と、内方見込み面２３１の両端からそれぞれ直角方向に延在する一対の内方見付け面２３２，２３３とによって囲まれる領域に横断面が矩形状となる収容溝２３０が構成してある。また、本実施の形態１では、パネルユニット２０の縦枠２３としてアルミニウムやアルミニウム合金の押出形材を適用しており、収容溝２３０を含む縦枠２３の横断面形状が全長で一様となっている。
【００２３】
ストッパ部材２５は、縦枠２３の見込み面において収容溝２３０の上端に配設したブロック状部材であり、収容溝２３０の上端開口に対してその一部を覆う位置に固定してある。より具体的に説明すると、ストッパ部材２５は、図１及び図３に示すように、内方見込み面２３１の延長上に位置する取付部２５１と、屋内側に位置する内方見付け面（以下、内方見付け面を区別する場合に「屋内側内方見付け面２３２」という）の延長上に位置する当接部２５２とを有し、上面視が略Ｌ字状を成すもので、取付部２５１を介して縦枠２３の内方見込み面２３１に取り付けてある。ストッパ部材２５の当接部２５２は、屋内側内方見付け面２３２よりも収容溝２３０の内方側に突出しており、収容溝２３０の上端開口に対してその一部を覆った状態にある。
【００２４】
また、パネルユニット２０の縦枠２３には、図１に示すように、方立１０に対向する見込み面において収容溝２３０よりも屋外側に位置する部位に雨水浸入防止用のシール部材（以下、「レインバリア３０」という）が設けてあるとともに、収容溝２３０よりも屋内側に位置する部位に通気防止用のシール部材（以下、「ウィンドバリア４０」という）が装着してある。レインバリア３０は、耐水性を有した弾性材によって薄い膜状に成形したもので、縦枠２３の延在方向に沿ってその全長に取り付けてある。レインバリア３０の寸法は、パネルユニット２０の両側に設けたものの最も外方に位置する部位の相互間距離が、隣接する方立１０の板面１１相互間距離ｄ１よりも大きくなるように設定してある。ウィンドバリア４０は、シリコンスポンジ等のように、通気性のない弾性材によって中空の管状に成形したもので、縦枠２３の延在方向に沿ってその全長に取り付けてある。ウィンドバリア４０の寸法は、パネルユニット２０の両側に設けたものの最も外方に位置する部位の相互間距離が、方立１０の中心線相互間距離ｄ２よりも大きくなるように設定してある。
【００２５】
一方、方立１０には、図１〜図４に示すように、個々の板面１１において屋内側に位置する縁部に上下方向に沿って長尺状の支持部材５０が設けてある。支持部材５０は、横断面が矩形の筒状を成す基部５１と、基部５１の一方の外側面から突出した複数条のリブ５２と、基部５１の他方の外側面から突出した一対の規制用突条片５３とを一体に成形したものである。基部５１は、パネルユニット２０の縦枠２３に形成した収容溝２３０に収容することができ、かつ収容溝２３０に収容した場合にはその端面の一部がストッパ部材２５の当接部２５２に対向する大きさに形成してある。複数条のリブ５２は、基部５１の延在方向に沿って直線状に連続した細幅の突出部であり、基部５１の一方の外側面にその全長に渡って互いに平行となるように形成してある。一対の規制用突条片５３は、基部５１の他方の外側面においてその両側となる部位から互いに平行となるように外方に向けて突出した後、互いに離反する方向に屈曲した細幅の突出部であり、屈曲した先端の相互間距離が、収容溝２３０において互いに対向する一対の内方見付け面２３２，２３３の相互間に隙間無く挿入できる寸法に形成してある。本実施の形態１では、パネルユニット２０の縦枠２３と同様、アルミニウムやアルミニウム合金の押出型材によって支持部材５０が構成してある。支持部材５０の長さは、パネルユニット２０の縦枠２３においてストッパ部材２５の下面から縦枠２３の下端までの長さよりもわずかに短く設定してある。
【００２６】
上述の構成を有する支持部材５０は、複数条のリブ５２をそれぞれ方立１０の板面１１に当接させ、長手方向が鉛直となった状態でボルトＢ及びナットＮにより方立１０の下方部に強固に固定する。本実施の形態１では、方立１０の２つの板面１１にそれぞれ支持部材５０を配置し、一方の支持部材５０から方立１０を介して他方の支持部材５０にボルトＢを貫通させ、この状態からボルトＢのネジ部にナットＮを締結することによって２つの支持部材５０を一時に方立１０に共締めするようにしている。隣接する一対の方立１０においては、支持部材５０が互いに対向するように、それぞれの位置が設定してある。隣接する方立１０に固定した支持部材５０の相互間距離は、パネルユニット２０の左右方向に沿った寸法よりも短く、かつパネルユニット２０の両側に形成した収容溝２３０における内方見込み面２３１の相互間距離よりもわずかに大きく形成してある。尚、図３中の符号６０は、方立１０に設けられた鋼製の荷重支持ピンであり、支持部材５０の基部５１に形成した嵌合孔５１ａに嵌合している。また、図３及び図４中の符号６１は、荷重支持ピン６０が嵌合孔５１ａに嵌合した状態を目視するために支持部材５０の基部に形成した長孔である。さらに、図１中の符号６２は、支持部材５０の基部５１の内部においてボルトＢの頭部と基部５１との間、並びに基部５１とナットＮとの間のそれぞれに介在するスペーサ部材である。
【００２７】
尚、支持部材５０には、必ずしもリブ５２を設ける必要はなく、基部５１の外側面を方立１０の板面１１に当接させるようにしても良い。また、方立１０の荷重支持ピン６０を支持部材５０の嵌合孔５１ａに嵌合させるようにしているため、支持部材５０に加わる荷重がボルトＢに加わる事態を防止することが可能となるが、この荷重支持ピン６０は必ずしも設けなくとも良い。
【００２８】
上記のように板面１１においてワンフロアの下方となる部位に支持部材５０を固定した方立１０に対してパネルユニット２０を支持させるには、それぞれの支持部材５０の上端部に対してパネルユニット２０の両側に形成した収容溝２３０の下端開口を位置合わせし、そのままパネルユニット２０を下方にスライドさせれば良い。すなわち、パネルユニット２０の収容溝２３０に対して支持部材５０が進入されると、やがて支持部材５０の上端面がストッパ部材２５に当接し、支持部材５０に対するパネルユニット２０の下方への移動が阻止されることになる。しかも、この状態においては、支持部材５０に設けた一対の規制用突条片５３の先端が収容溝２３０のほぼ全長において内方見付け面２３２，２３３にそれぞれ当接し、方立１０に対するパネルユニット２０の屋内外方向に沿った移動が阻止されることになる。従って、方立１０に対するパネルユニット２０の位置決めに多大な時間を要することなく、ストッパ部材２５及び支持部材５０を介してパネルユニット２０を方立１０に支持させることが可能となる。加えて、パネルユニット２０を方立１０に支持させるための構成がパネルユニット２０の縦枠２３との間に内蔵されることになるため、屋内側から屋外側に向けて良好な視界を確保することが可能となる。
【００２９】
さらに、パネルユニット２０の縦枠２３に装着したレインバリア３０は、その先端部がパネルユニット２０の屋外側に位置する部位において方立１０の板面１１に圧接された状態となるため、パネルユニット２０と方立１０との隙間から屋内側に雨水や外気が進入する恐れがない。また、方立１０よりも屋内側に位置する部位においては、ウィンドバリア４０が互いに圧接した状態となるため、隣接するパネルユニット２０の隙間から外気が屋内側に進入する恐れがない。
【００３０】
上述したように、本実施の形態１では、ワンフロアを構成する上層のスラブＳから下層のスラブＳまでの間に上下２枚のパネルユニット２０を配設してカーテンウォールを構築するようにしている。従って、方立１０の下方部にパネルユニット２０を支持させた後、方立１０の上方部に支持部材５０を固定し、これら上方部に支持させた支持部材５０の間に、上記と同様の手順によりパネルユニット２０を支持させる。上下２つの支持部材５０は、上下２枚のパネルユニット２０が同一の鉛直面上に位置するように、共通の鉛直軸に沿って配置する。ここで、方立１０の下端部は、下層のスラブＳの下面に取り付けたファスナーＦに支持させてある。従って、ワンフロアにおいて上方に配置される支持部材５０は、その上端部が上方に配置された方立１０の下端部に固定され、その下端部が当該フロアの方立１０に固定されることになる。図には明示していないが、上下２つのパネルユニット２０の相互間は、連結具によって上横枠２１と下横枠２２との間が連結されるとともに、上述したレインバリア３０及びウィンドバリア４０と同様のシール部材によって雨水や外気の進入が阻止された状態となる。
【００３１】
以降、上述の作業を繰り返し行うことにより、建造物の外周にカーテンウォールが構築される。尚、図１中の符号７０は、左右隣接して互いに対向する縦枠２３及び互いに圧接されたウィンドバリア４０の間に充填したシーリング剤である。
【００３２】
（実施の形態２）
図５は、本発明の実施の形態２であるカーテンウォールを適用した建造物の要部を示したものである。ここで例示する建造物は、実施の形態１と同様、複数のフロアを有したビルの外周にカーテンウォールを構築したもので、実施の形態１とは、方立１０が目地部材８０を備えている点、並びにパネルユニット２０の縦枠２３に装着したウィンドバリア４０が目地部材８０に圧接される点のみが異なっている。
【００３３】
すなわち、実施の形態２において説明する方立１０には、屋内側に位置する端面１２に目地部材８０が装着してある。目地部材８０は、エチレン・プロピレン・ジエンゴム等のように、比較的硬度の大きな弾性材によって成形したもので、方立１０とほぼ同じ板厚を有している。尚、方立１０のその他の構成に関しては、屋内側に位置する端面１２がスラブＳ等の躯体から離隔するとともに、屋外側に位置する端部がパネルユニット２０よりも屋外に露出するように配置される点や板面１１において屋内側に位置する縁部に上下方向に沿って長尺状の支持部材５０が設けてある点を含めて実施の形態１と同様である。従って、以下においては、同一の符号を付してそれぞれの詳細説明を省略する。
【００３４】
パネルユニット２０の縦枠２３に装着した通気防止用のシール部材であるウィンドバリア４０は、最も外方に位置する部位の相互間距離が実施の形態１よりも小さく、かつ隣接する方立１０の板面１１相互間距離ｄ１よりも大きくなるように設定してある。尚、パネルユニット２０のその他の構成に関しては、縦枠２３において方立１０に対向する見込み面に収容溝２３０を有する点や縦枠２３の見込み面において収容溝２３０の上端となる位置にストッパ部材２５を備える点、収容溝２３０よりも屋外側に位置する部位にレインバリア３０が装着してある点を含めて実施の形態１と同様である。従って、以下においては、同一の符号を付してそれぞれの詳細説明を省略する。
【００３５】
実施の形態２においても支持部材５０は、複数条のリブ５２をそれぞれ方立１０の板面１１に当接させ、長手方向が鉛直となった状態でボルトＢ及びナットＮにより方立１０の下方部に強固に固定する。支持部材５０を固定した方立１０に対してパネルユニット２０を支持させるには、それぞれの支持部材５０の上端部に対してパネルユニット２０の両側に形成した収容溝２３０の下端開口を位置合わせし、そのままパネルユニット２０を下方にスライドさせる。すなわち、パネルユニット２０の収容溝２３０に対して支持部材５０が進入されると、支持部材５０の上端面がストッパ部材２５に当接し、支持部材５０に対するパネルユニット２０の下方への移動が阻止されることになる。この状態においては、支持部材５０に設けた一対の規制用突条片５３の先端が収容溝２３０のほぼ全長において内方見付け面２３２，２３３にそれぞれ当接し、方立１０に対するパネルユニット２０の屋内外方向に沿った移動が阻止されることになる。従って、方立１０に対するパネルユニット２０の位置決めに多大な時間を要することなく、ストッパ部材２５及び支持部材５０を介してパネルユニット２０を方立１０に支持させることが可能となる。加えて、パネルユニット２０を方立１０に支持させるための構成がパネルユニット２０の縦枠２３との間に内蔵されることになるため、屋内側から屋外側に向けて良好な視界を確保することが可能となる。
【００３６】
さらに、パネルユニット２０の縦枠２３に装着したレインバリア３０は、その先端部がパネルユニット２０の屋外側に位置する部位において方立１０の板面１１に圧接された状態となるため、パネルユニット２０と方立１０との隙間から屋内側に雨水や外気が進入する恐れがない。また、方立１０よりも屋内側に位置する部位においては、ウィンドバリア４０が目地部材８０に圧接した状態となるため、隣接するパネルユニット２０の隙間から外気が屋内側に進入する恐れがない。尚、図５中の符号７０′は、方立１０にパネルユニット２０を支持させた後に、左右隣接して互いに対向する縦枠２３、ウィンドバリア４０及び目地部材８０の間に充填したシーリング剤である。
【００３７】
（実施の形態３）
図６は、本発明の実施の形態３であるカーテンウォールを適用した建造物の要部を示したものである。ここで例示する建造物は、実施の形態１と同様、複数のフロアを有したビルの外周にカーテンウォールを構築したもので、実施の形態１とは、方立１０′において屋内側に位置する端部が躯体に連結されている点、並びにパネルユニット２０の縦枠２３に装着したウィンドバリア４０が方立１０′の板面１１に圧接される点のみが異なっている。
【００３８】
すなわち、実施の形態３において説明する方立１０′は、屋内側に位置する端部が屋内側に延長して直接スラブＳ等の躯体に連結された構成である。尚、方立１０′のその他の構成に関しては、屋外側に位置する端部がパネルユニット２０よりも屋外に露出するように配置される点や板面１１において屋内側に位置する縁部に上下方向に沿って長尺状の支持部材５０が設けてある点を含めて実施の形態１と同様である。従って、以下においては、同一の符号を付してそれぞれの詳細説明を省略する。
【００３９】
パネルユニット２０の縦枠２３に装着した通気防止用のシール部材であるウィンドバリア４０は、最も外方に位置する部位の相互間距離が実施の形態１よりも小さく、かつ隣接する方立１０′の板面１１相互間距離ｄ１よりも大きくなるように設定してある。尚、パネルユニット２０のその他の構成に関しては、縦枠２３において方立１０′に対向する見込み面に収容溝２３０を有する点や縦枠２３の見込み面において収容溝２３０の上端となる位置にストッパ部材２５を備える点、収容溝２３０よりも屋外側に位置する部位にレインバリア３０が装着してある点を含めて実施の形態１と同様である。従って、以下においては、同一の符号を付してそれぞれの詳細説明を省略する。
【００４０】
実施の形態３においても支持部材５０は、複数条のリブ５２をそれぞれ方立１０′の板面１１に当接させ、長手方向が鉛直となった状態でボルトＢ及びナットＮにより方立１０′の下方部に強固に固定する。支持部材５０を固定した方立１０′に対してパネルユニット２０を支持させるには、それぞれの支持部材５０の上端部に対してパネルユニット２０の両側に形成した収容溝２３０の下端開口を位置合わせし、そのままパネルユニット２０を下方にスライドさせる。すなわち、パネルユニット２０の収容溝２３０に対して支持部材５０が進入されると、支持部材５０の上端面がストッパ部材２５に当接し、支持部材５０に対するパネルユニット２０の下方への移動が阻止されることになる。この状態においては、支持部材５０に設けた一対の規制用突条片５３の先端が収容溝２３０のほぼ全長において内方見付け面２３２，２３３にそれぞれ当接し、方立１０′に対するパネルユニット２０の屋内外方向に沿った移動が阻止されることになる。従って、方立１０′に対するパネルユニット２０の位置決めに多大な時間を要することなく、ストッパ部材２５及び支持部材５０を介してパネルユニット２０を方立１０′に支持させることが可能となる。加えて、パネルユニット２０を方立１０′に支持させるための構成がパネルユニット２０の縦枠２３との間に内蔵されることになるため、屋内側から屋外側に向けて良好な視界を確保することが可能となる。
【００４１】
さらに、パネルユニット２０の縦枠２３に装着したレインバリア３０は、その先端部がパネルユニット２０の屋外側に位置する部位において方立１０′の板面１１に圧接された状態となるため、パネルユニット２０と方立１０′との隙間から屋内側に雨水や外気が進入する恐れがない。また、方立１０′において屋内側に位置する板面１１には、ウィンドバリア４０が圧接した状態となるため、隣接するパネルユニット２０の隙間から外気が屋内側に進入する恐れがない。尚、図６中の符号７０″は、方立１０′にパネルユニット２０を支持させた後に、方立１０′と縦枠２３とウィンドバリア４０とによって囲まれる領域に充填したシーリング剤である。
【００４２】
また、上述した実施の形態１〜実施の形態３では、いずれもワンフロアに上下２つのパネルユニット２０を配置させるようにしているが、ワンフロアに対して１つのパネルユニット２０を配置したり、上下に３以上のパネルユニット２０を配置するようにしても良い。
【符号の説明】
【００４３】
１０      方立
１１      板面
２０      パネルユニット
２３      縦枠
２４      面材
２５      ストッパ部材
４０      ウィンドバリア
５０      支持部材
８０      目地部材
２３０      収容溝
Ｓ      スラブ
【図１】
0005425819.tif 000002
【図２】
0005425819.tif 000003
【図３】
0005425819.tif 000004
【図４】
0005425819.tif 000005
【図５】
0005425819.tif 000006
【図６】
0005425819.tif 000007